(57)【要約】【課題】圧送管位置でのコンクリートによる閉塞時、あるいは投射作業後の残コンクリートの洗浄作業を容易にし、メンテナンス性を向上する。【解決手段】主フレーム９の直下に配置されたコンクリート圧送管７は直管状をなしており、その先端部側には主プーリ２のインペラ２ａ側に向けて落下ガイドするためのエルボ状ガイドカバー２０がピン２１を支点に回動可能に取付けられている。コンクリート圧送管７の後部及びコンクリート供給管８の上部には、エルボ状のアタッチメント２３が着脱可能に取付けられ、両管７，８同士を接合している。アタッチメント２３を取外せば、別の場所でアタッチメント２３の内部に付着したコンクリート除去作業を行うことができる。投射ヘッド１の前カバー１ａを取外し、固定スリーブ６及び主プーリ２の前カバーをはずし、ガイドカバー２０をピン２１を支点に後傾させて圧送管７の前部開口を大きくあけることで、ホース２４などにより、水をジェット噴射することによって圧送管７の内部に付着したコンクリートを容易に除去することができる。【選択図】　　　図２
2004137684.tif 000002
【特許請求の範囲】
【請求項１】
投射ヘッドの中心位置に回転可能に軸受された主プーリと、主プーリの周囲に配置されそれぞれが回転可能に軸受された複数の補助プーリと、主プーリと各補助プーリ間に巻掛けられてモータ駆動により回転可能なベルトとを備え、主プーリの回転軸中心からコンクリートを供給するコンクリート圧送管と、コンクリート圧送管により供給されたコンクリートを投射ヘッドの上部より投射するベルト式吹付け機において、
前記コンクリート圧送管は直管状をなしているとともに、その先端部にはコンクリートを主プーリのインペラ側に向けて落下する際のガイドとするためのエルボ状のガイドカバーが傾動可能に取付けられていることを特徴とするベルト式吹付け機。
【請求項２】
前記コンクリート圧送管の後部に連結され該コンクリート圧送管に対して取り外し可能なアタッチメントを備えることを特徴とする請求項１に記載のベルト式吹付け機。
【請求項３】
前記アタッチメントには、急結剤供給のための枝管が接合されていることを特徴とする請求項１または２に記載のベルト式吹付け機。
【請求項４】
前記ガイドカバーは蛇腹状をなし、蛇腹の扇形中心を基点に折畳み展開可能であって、展開時において下方に向けてエルボ状に形成され、かつ折畳み時にはコンクリート圧送管の開口部に直線上に位置するものであることを特徴とする請求項１ないし３のいずれかに記載のベルト式吹付け機。
【発明の詳細な説明】
【０００１】
【発明の属する技術分野】
本発明は、ベルト式吹付け機に関し、特にコンクリート圧送管先端に付着したコンクリートの清掃を容易にした構造に関する。
【０００２】
【従来の技術】
ベルト式吹付け機は、コンクリートに遠心力を与えることにより、コンクリートを吹付け面に向かって投射する装置であり（例えば、特許文献１を参照）、従来から一般に使用されている圧縮空気を搬送媒体とした吹付け装置と比較して、エアレス方式であるため、粉塵の発生やリバウンドロス等の問題を解消し、また吹付け面を平滑に仕上げることができ、このため、小断面トンネルから大断面トンネルに至る種々のトンネルの覆工や、その他の壁面防護工などに好適であるとされている。
【０００３】
このようなベルト式吹付け機は、基本的には、図４，５に示すように、投射ヘッド１の中心位置に回転可能に軸受された主プーリ２と、主プーリ２の周囲にあって投射ヘッド１に回転可能に配置された４つの補助プーリ３と、主プーリ２と各補助プーリ３間に略Ω状に巻掛けられて主プーリ２を回転させるベルト４と、投射ヘッド１の上部中心に配置され、コンクリートの投射方向を定める投射ガイド５とを備えている。補助プーリ３の一つには投射ヘッド１の背面に結合した駆動モータＭが軸結され、その回転駆動によりベルト４が各補助プーリ３間を移動するとともに、主プーリ２を回転駆動する。
【０００４】
主プーリ２は、その内周に複数のインペラ２ａを固定したドラム状のものであり、投射ヘッド１の背面を貫通して固定された固定スリーブ６の外周に回転自在に軸承されており、ベルト４によってその外周をΩ形に塞がれている。固定スリーブ６の内部にはこれの後部を貫通してコンクリート圧送管７が連結され、その先端よりコンクリート及び急結剤の混合物を吐出する。
【０００５】
吐出されたコンクリート及び急結剤の混合物は、主プーリ２の回転軸中心を貫通するコンクリート圧送管７を通じて主プーリ２内部のインペラ２ａで囲われた空間内に落し込まれて主プーリ２の回転方向に搬送され、主プーリ２におけるベルト４がとぎれる位置である投射ガイド５の基部と左右の補助プーリ３の間で解放される結果、遠心力の作用により混合物を投射ガイド５と一方の補助プーリ３との隙間を投射口Ｄとして目的位置に向けて投射する。
【０００６】
圧送管７の先端には、下部側に向けたエルボ７ａが固定配置され、また後端は同じく固定配置されたエルボ７ｂを介して鉛直方向に延びるコンクリート供給管８に接続され、コンクリート供給管８は図示しないコンクリート圧送ポンプに接続されていた。
【０００７】
コンクリート供給管８の上端部には急結剤供給用の枝管８ａが接合され、圧送管７に至る直前でコンクリートに対し、急結剤が混合される。
【０００８】
圧送管７の先端側エルボ７ａはコンクリートをインペラ２ａによって仕切られた空間内に落し込むためのものであり、また、後端側エルボ７ｂは、投射ヘッド１を支持した主フレーム９に対する干渉をさける目的で設けられるものであるが、次に述べる課題があった。
【０００９】
【特許文献１】
特開２００２−１６８０９５
【００１０】
【発明が解決しようとする課題】
すなわち、投射直前位置でコンクリートに急結剤が混合されるため、エルボ７ａ，７ｂの位置でコンクリートが滞留することにより、この部分が固化して閉塞されやすく、しかもこの部分は曲げられた位置であるため、閉塞時の除去洗浄作業が面倒であるという課題があった。また、作業終了後に残コンクリートを除去する際にも各エルボ７ａ，７ｂが邪魔となり、清掃作業が面倒で、メンテナンス性が低下していた。
【００１１】
本発明は以上の課題を解決するものであり、その目的は、圧送管位置でのコンクリートによる閉塞時、あるいは投射作業後における残コンクリートの洗浄作業を容易にし、メンテナンス性を向上できるようにしたベルト式吹付け機を提供するものである。
【００１２】
【課題を解決するための手段】
前記目的を達成するため本発明は、投射ヘッドの中心位置に回転可能に軸受された主プーリと、主プーリの周囲に配置されそれぞれが回転可能に軸受された複数の補助プーリと、主プーリと各補助プーリ間に巻掛けられてモータ駆動により回転可能なベルトとを備え、主プーリの回転軸中心からコンクリートを供給するコンクリート圧送管と、コンクリート圧送管により供給されたコンクリートを投射ヘッドの上部より投射するベルト式吹付け機において、前記コンクリート圧送管は直管状をなしているとともに、その先端部にはコンクリートを主プーリのインペラ側に向けて落下する際のガイドとするためのエルボ状のガイドカバーが傾動可能に取付けられていることを特徴とするものである。従って、本発明では、清掃時に、コンクリート圧送管の先端部に取り付けられたガイドカバーを後傾させてコンクリートの除去清掃を行うことができ、メンテナンスが簡単となる。
【００１３】
また、本発明においては、前記コンクリート圧送管の後部に連結され該コンクリート圧送管に対して取り外し可能なアタッチメントを備えることが好ましく、この場合には、清掃時に、コンクリート圧送管の後部側のアタッチメントを取外すことにより、コンクリートの除去清掃作業をさらに容易に行うことができる。
【００１４】
また、本発明においては、前記アタッチメントに、急結剤供給のための枝管が接合されていることにより、アタッチメントより先の部分のみがコンクリートが固化しやすい部分となり、また、これは取外して独自にコンクリートの除去清掃作業を行うことができる。
【００１５】
さらに、本発明において、前記ガイドカバーは蛇腹状をなし、蛇腹の扇形中心を基点に折畳み展開可能であって、展開時において下方に向けてエルボ状に形成され、かつ折畳み時にはコンクリート圧送管の開口部に直線上に位置するものであることにより、コンクリートの除去清掃時にコンクリート圧送管の開口を直線上にすることができ、さらに清掃作業を簡単に行うことができる。
【００１６】
【発明の実施の形態】
以下、本発明の好ましい実施の形態につき図面を参照して詳細に説明する。　　なお、本発明の要部以外は従来と同一であるため、従来と同一箇所には同一符号を付し、異なる箇所あるいは新たに説明を付加する箇所にのみ新たな符号を用いて説明する。
【００１７】
図１は、ベルト式吹付け機の全体を示すものであり、投射ヘッド１の背面は、これに結合した前述の主フレーム９と、主フレーム９の後端に連結した連結ブロック１０と、連結ブロック１０の後部に配置され投射ヘッド１を揺動するための油圧モータ１１と、連結ブロック１０の後部をこれより前方部分を左右に首振り移動可能に支持したガイドブーム１２と、ガイドブーム１２の後端に設けられベースマシン側に設けた図示しないアームに固定される連結プレート１３と、連結ブロック１０の側面とプレート１３との間に両端が支持され連結ブロック１０より前方部分を左右に首振り移動するための油圧シリンダ１４とを備えており、油圧モータ１１の回転駆動により投射ヘッド１を揺動させ、油圧シリンダ１４の伸縮動作により投射ヘッド１を左右に首振り移動させるほか、連結プレート１３に結合したアームの操作により前後進させるなど、投射位置に対する投射ヘッド１の位置決め操作を可能としている。
【００１８】
そして、主に図２に示すように、主フレーム９の直下に配置されたコンクリート圧送管７は直管状をなしており、その先端部側には主プーリ２のインペラ２ａ側に向けて落下ガイドするためのエルボ状ガイドカバー２０がピン２１を支点に回動可能に取付けられている。
【００１９】
また、コンクリート圧送管７の後部及びコンクリート供給管８の上部には、それぞれ環状をしたジョイント２２を介してエルボ状のアタッチメント２３が着脱可能に取付けられ、両管７，８同士を接合している。
【００２０】
アタッチメント２３は、コンクリート圧送管７と同径の水平管２３ａと、水平管２３ａの後部に一体化されたエルボ２３ｂと、エルボ２３ｂの下端に一体化され、かつコンクリート供給管８と同径の垂直管２３ｃ及び垂直管２３ｃの外周に斜めに接続した急結剤供給用の枝管２３ｄとからなっており、各ジョイント２２によりコンクリート圧送管７及びコンクリート供給管８に強固に連結され、また各ジョイント２２をゆるめることで両管７，８より簡単に取外すことが可能となっている。
【００２１】
以上の構成において、コンクリートの投射作業状態では、図２（ａ）に示すように、エルボ状ガイドカバー２０を前傾姿勢に固定しておき、各ジョイント２２を介して圧送管７とアタッチメント２３及びコンクリート供給管８を接続し、供給管８を通じてコンクリートを供給しつつ、枝管２３ｄを通じて急結剤を供給合流させ、コンクリート圧送管７に送る。
【００２２】
送られたコンクリート及び急結剤の混合物は、ガイドカバー２０により下方に向けて吐出され、主プーリ２のインペラ２ａで仕切られた区画内に落し込まれつつ、主プーリ２の回転により投射口Ｄを通じて順次投射位置に向けて投射される。
【００２３】
この作業において、コンクリートの詰まりが生じやすい箇所は、コンクリートと急結剤が混合され、流路が曲げられる位置、すなわち、アタッチメント２３のエルボ２３ｂの位置、及び圧送管７の先端位置に設けたガイドカバー２０の位置である。従って、投射作業中にこれらの位置で詰まりが生じた場合、あるいは投射作業完了後は、図２（ｂ）に示すように、各ジョイント２２をゆるめてアタッチメント２３を取外せば、別の場所でアタッチメント２３の内部に付着したコンクリート除去作業を行うことができる。
【００２４】
他方、同図２（ｂ）に示すように、投射ヘッド１の前カバー１ａを取外し、固定スリーブ６及び主プーリ２の前カバーをはずし、ガイドカバー２０をピン２１を支点に後傾させて圧送管７の前部開口を大きくあけることで、例えばホース２４などにより、水をジェット噴射することによって圧送管７の内部に付着したコンクリートを容易に除去することができる。また、同時に固定スリーブ６の内外、主プーリ２の内外、補助プーリ３、ベルト４、投射ガイド５などに付着したコンクリートも除去清掃できる。
【００２５】
清掃作業後は、前記とは逆の手順で組立作業を行えば、再び図２（ａ）に示すように各部が連結し、再びコンクリート及び急結剤の混合物の投射作業を行うことができる。
【００２６】
図３は、圧送管７の先端に位置するガイドカバーの他の実施形態を示すものである。ガイドカバー３０は、蛇腹状をなしたもので、コンクリート投射作業時には蛇腹の扇形中心を基点に下方に向けて展開することにより、コンクリートを下部側にガイドする。また、清掃時には、上方に向けて折畳むことにより、圧送管７を直線上に開口させることができる。本実施形態では、清掃時における圧送管７の開口を大きく取ることができる。
【００２７】
【発明の効果】
以上の説明により明らかなように、本発明によるベルト式吹付け機にあっては、圧送管位置でのコンクリートによる閉塞時、あるいは投射作業後の残コンクリートの洗浄作業を容易に行え、メンテナンス性を向上できる。
【図面の簡単な説明】
【図１】本発明にかかるベルト式吹付け機の斜視図である。
【図２】（ａ），（ｂ）は同吹付け機の投射作業時及び分解清掃時を示す側断面図である。
【図３】同吹付け機における圧送管の他の実施形態を示す側断面図である。
【図４】従来のベルト式吹付け機の正断面図である。
【図５】図４のＡ−Ａ線における側断面図である。
【符号の説明】
１　投射ヘッド
２　主プーリ
３　補助プーリ
４　ベルト
５　投射ガイド
６　固定スリーブ
７　コンクリート圧送管
８　コンクリート供給管
２０，３０　ガイドカバー
２２　ジョイント
２３　エルボ状アタッチメント
２３ｄ　枝管
【図１】
2004137684.tif 000003
【図２】
2004137684.tif 000004
【図３】
2004137684.tif 000005
【図４】
2004137684.tif 000006
【図５】
2004137684.tif 000007